(57)【要約】【課題】情報機器を扱うユーザの安心度を高めることができる仕切り領域制御装置および仕切り領域制御方法を提供することを目的とするものである。【解決手段】ユーザによる情報機器への入力または操作のログに基づいて、上記ユーザが使用する情報の種類である使用情報種類を取得する使用情報種類取得手段と、上記使用情報種類取得手段が取得した上記使用情報種類に基づいて、上記ユーザまたは上記情報機器への視線を遮る仕切り領域を決定し、制御する仕切り領域制御手段とを有することを特徴とする仕切り領域制御装置である。【選択図】図２
2007186917.tif 000002
【特許請求の範囲】
【請求項１】
ユーザによる情報機器への入力または操作のログに基づいて、上記ユーザが使用する情報の種類である使用情報種類を取得する使用情報種類取得手段と；
上記使用情報種類取得手段が取得した上記使用情報種類に基づいて、上記ユーザまたは上記情報機器への視線を遮る仕切り装置における仕切り領域を決定し、上記仕切り領域を制御する仕切り領域制御手段と；
を有することを特徴とする仕切り領域制御装置。
【請求項２】
請求項１において、
上記仕切り領域における制御可能な範囲は、上記ユーザまたは上記情報機器の近傍の高さ、幅、奥行きのうちの少なくとも１つの領域であることを特徴とする仕切り領域制御装置。
【請求項３】
請求項１において、
上記仕切り領域制御手段は、上記使用情報種類取得手段が取得した上記使用情報種類と上記仕切り領域とを対応して格納している使用情報種類・仕切り領域対応データベースを用い、上記取得した上記使用情報種類に基づいて、上記仕切り領域を決定し、制御する手段であることを特徴とする仕切り領域制御装置。
【請求項４】
請求項１において、
上記情報機器を起動したことを示す情報、上記情報機器の電源を切ったことを示す情報、上記ユーザが上記情報機器で使用しているプログラムの名称、上記ユーザが上記情報機器で入力した文字または記号のうちの少なくとも１つの使用状況を記憶する使用状況記憶手段を有し、
上記使用情報種類取得手段は、上記使用状況記憶手段に記憶されている使用状況に基づいて、扱っている使用情報種類を得る手段であることを特徴とする仕切り領域制御装置。
【請求項５】
請求項３において、
上記使用情報種類と仕切り領域とが対応して格納され、上記使用情報種類と仕切り領域との対応がユーザ固有の対応である第２の使用情報種類・仕切り領域対応データベースと；
上記第２の使用情報種類・仕切り領域対応データベースを用い、上記使用情報種類に基づいて、上記仕切り領域を決定する第２の仕切り領域決定手段と；
を有することを特徴とする仕切り領域制御装置。
【請求項６】
請求項１において、
上記各ユーザのデータを記憶し、各ユーザが持つ携帯可能な個人のデータを記憶した記憶媒体、またはネットワーク上に保管され、複数人のデータまたは個人のデータを記憶している記憶媒体から、上記使用情報種類と上記仕切り領域との対応データと、上記各使用情報について使用情報の使用開始時における仕切り領域の切り替えの有無を示す仕切り領域切り替え有無情報とを、上記ユーザが情報機器でプログラム起動、終了、情報入力、閲覧を行う際に、読み取り、記憶する第１の記憶手段と；
上記情報機器の電源を切る前に、上記仕切り領域と、上記領域切り替え有無情報とを記憶する第２の記憶手段と；
を有することを特徴とする仕切り領域制御装置。
【請求項７】
請求項１または請求項４において、
上記仕切り装置による仕切り領域を、上記ユーザが手動で直接調整する手動調整手段と；
上記手動調整手段によって手動で調節した仕切り領域を記憶するユーザ情報データベースと；
を有することを特徴とする仕切り領域制御装置。
【請求項８】
請求項１において、
上記仕切り装置は、液晶シャッタガラスであり、上記情報機器または上記ユーザの一面または複数面を仕切る装置であることを特徴とする仕切り領域制御装置。
【請求項９】
請求項１において、
上記使用情報種類取得手段は、ユーザによる情報機器への入力または操作のログに基づいて、上記ユーザが使用している情報またはソフトを判別することによって、上記使用情報種類を取得する手段であることを特徴とする仕切り領域制御装置。
【請求項１０】
ユーザによる情報機器への入力または操作のログに基づいて、上記ユーザが使用する情報の種類である使用情報種類を取得し、記憶装置に記憶する使用情報種類取得工程と；
上記使用情報種類取得手段が取得した上記使用情報種類に基づいて、上記ユーザまたは上記情報機器への視線を遮る仕切り装置における仕切り領域を決定し、記憶装置に記憶し、上記仕切り領域を制御する仕切り領域制御工程と；
を有することを特徴とする仕切り領域制御方法。
【発明の詳細な説明】
【技術分野】
【０００１】
本発明は、仕切り領域制御装置および仕切り領域制御方法に関する。
【背景技術】
【０００２】
高度情報通信社会の進展に伴い、個人情報を含む情報を扱う機会が著しく拡大し、情報を扱う個人とその情報とを保護するために、様々な対策が考えられている。
【０００３】
これらの対策として、従来、情報を扱う空間の４面を囲む小部屋を作る方法、２面に仕切りを設置する方法、手元だけ設置する方法、覗き見防止フィルタを貼る方法等、他者の視線を物理的に遮る対策方法が知られている（たとえば、非特許文献１参照）。
【非特許文献１】飯塚重善  他著「前方視野開放環境におけるＰＣ利用時の安心感に関する調査実験」ヒューマンインタフェース学会研究報告集、Ｖｏｌ．１７，  Ｎｏ．２，  ｐｐ．９〜１６、２００５年
【発明の開示】
【発明が解決しようとする課題】
【０００４】
上記のように、物理的に仕切る従来方法では、仕切りの高さ、幅、奥行きが固定され、つまり、扱う情報の重要性や利用者の感じる安心感が考慮されずに、仕切りを設置する例が多い。したがって、上記従来例は、情報を扱うユーザの安心度が低いという問題がある。
【０００５】
本発明は、情報機器を扱うユーザの安心度を高めることができる仕切り領域制御装置および仕切り領域制御方法を提供することを目的とするものである。
【課題を解決するための手段】
【０００６】
本発明は、ユーザによる情報機器への入力または操作のログに基づいて、上記ユーザが使用する情報の種類である使用情報種類を取得する使用情報種類取得手段と、上記使用情報種類取得手段が取得した上記使用情報種類に基づいて、上記ユーザまたは上記情報機器への視線を遮る仕切り領域を決定し、制御する仕切り領域制御手段とを有することを特徴とする仕切り領域制御装置である。
【発明の効果】
【０００７】
本発明によれば、取得した使用情報種類に基づいて、ユーザまたは情報機器への視線を遮る仕切り装置における仕切り領域を決定し、仕切り領域を制御するので、情報機器を扱うユーザの安心度が高いという効果を奏する。
【発明を実施するための最良の形態】
【０００８】
発明を実施するための最良の形態は、以下の実施例である。
【実施例１】
【０００９】
図１は、本発明の実施例１である仕切り高さ制御装置１００の概念を示す図である。
【００１０】
図１において、仕切り高さ制御装置１００が制御する仕切り装置１０によって、情報機器５１が仕切られている状態を示す外観図である。
【００１１】
仕切り装置１０は、液晶シャッタガラスで構成され、また、手動調整用スイッチ１１を有する。
【００１２】
液晶シャッタガラスは、複数段、複数列配置されている（複数の液晶シャッタガラスが格子状に配置されている）。各液晶シャッタガラスは、電圧をかけると、遮光率が上昇し（曇り）、電圧をかけないと、遮光率が低下する（透明になる）ガラスである。複数の液晶シャッタガラスのうちで、所定の部位の液晶シャッタガラスの遮光率を上昇させることによって、上記所定の部位を遮光し、または遮光率を低下させるものである。
【００１３】
つまり、上記液晶シャッタガラスを制御することによって、仕切り装置１０による仕切りの高さを変える。
【００１４】
手動調整用スイッチ１１は、複数の仕切り装置１０のそれぞれに対応して設けられ、手動調整用スイッチ１１を、ユーザＵ１が操作することによって、仕切り高さを手動で調整するためのスイッチである。つまり、スイッチ１１を操作することによって、仕切り装置１０としての液晶シャッタガラスへの印加電圧を変化させ、これによって、仕切り高さを調整する。
【００１５】
図２は、ユーザＵ１と、情報機器５１と、仕切り装置１０と、仕切り高さ制御装置１００とを示すブロック図である。
【００１６】
仕切り高さ制御装置１００は、仕切り高さ制御手段３０と、使用情報種類取得手段４０とを有する。
【００１７】
仕切り高さ制御手段３０は、状態監視手段３２と、仕切り高さ決定手段３３と、仕切り装置制御部３４と、仕切り高さ決定用データベース３５とを有し、仕切り高さを決定し、仕切り装置１０を制御する。
【００１８】
状態監視手段３２は、情報機器５１の状態（使用されているソフト、情報等）、仕切り装置１０の状態（高さ等）を監視する。
【００１９】
仕切り高さ決定手段３３は、使用情報種類に基づいて、仕切り高さを決定する手段である。
【００２０】
仕切り装置制御部３４は、仕切り高さ決定手段３３が決定した仕切り高さに応じて、仕切り装置１０による仕切りの高さ（遮蔽する高さ、仕切る高さ）を変える。
【００２１】
仕切り高さ決定用データベース３５は、使用情報種類・仕切り高さ対応データベース３１と、ユーザ情報データベース２０とを有する。
【００２２】
使用情報種類・仕切り高さ対応データベース３１は、使用情報情報と、仕切り高さとを対応して格納しているデータベースであり、使用情報種類（ユーザＵ１が情報機器５１を使用している情報の種類）に応じて、仕切り高さの値が対応付けられている。
【００２３】
ユーザ情報データベース２０は、図８に示すように、仕切り高さ切り替え有無情報２１と、ユーザ固有の使用情報種類・仕切り高さ対応データベース２２とを格納し、ＩＣカード、フラッシュメモリ等、データの記憶媒体で構成されている。
【００２４】
仕切り高さ切り替え有無情報２１は、所定の使用情報種類と、その使用情報の使用開始時における仕切り高さの切り替えの有無とが対応している情報である。
【００２５】
ユーザ固有の使用情報種類・仕切り高さ対応データベース２２は、使用情報種類と仕切り領域とが対応して格納され、上記使用情報種類と仕切り領域との対応がユーザ固有の対応である第２の使用情報種類・仕切り領域対応データベースの例である。
【００２６】
なお、ユーザ固有の使用情報種類・仕切り高さ対応データベース２２が、ネットワーク上に保管されていてもよい。
【００２７】
使用情報種類取得手段４０は、入力情報種類判別データ用メモリ４１と、入力、操作ログ用メモリ４２と、使用情報種類取得部４３とを有する。また、使用情報種類取得手段４０は、入力情報種類判別データを用い、ユーザＵ１が情報機器５１へ入力、操作したログに基づいて、使用情報種類を判別する。
【００２８】
入力情報種類判別データ用メモリ４１は、入力情報種類判別データを格納しているメモリである。上記「入力情報種類判別データ」は、入力、操作ログと、入力情報種類とが対応しているデータである。入力情報種類判別データ用メモリ４１は、たとえば、キーボードから１０桁の数字の入力操作があれば、入力情報種類の１つである電話番号の情報を入力したと判別し、一方、マウスをダブルクリックしてカーソルを移動し、ＵＲＬを入力した操作ログがあれば、入力情報種類の１つであるＷｅｂブラウザを開いたと判別する。
【００２９】
入力、操作ログ用メモリ４２は、ユーザＵ１が、情報機器５１への入力したログ、情報機器５１を操作したログを格納するメモリである。また、入力、操作ログ用メモリ４２は、情報機器５１が起動したことを示す情報、情報機器５１の電源を切ったことを示す情報、ユーザＵ１が情報機器５１で使用しているプログラムの名称、ユーザＵ１が情報機器５１で入力した文字または記号、ユーザＵ１による情報機器５１の使用状況を示す情報のうちの少なくとも１つを記憶する使用状況記憶手段の例である。
【００３０】
なお、上記情報機器５１への入力は、マウス、キーボード等による入力である。また、情報機器５１の操作は、ソフトウェア等の操作である。
【００３１】
使用情報種類取得部４３は、入力情報種類判別データ用メモリ４１に格納されている入力情報種類判別データを用い、入力、操作ログ用メモリ４２に格納されている入力、操作ログに基づいて、使用情報種類を取得する。
【００３２】
仕切り高さを決定する場合、使用情報種類・仕切り高さ対応データベース３１を使用し、使用情報種類取得手段４０が得た使用情報種類に基づいて、仕切り装置１０による仕切りの高さを決める。また、ユーザＵ１が使用していた過去の仕切り高さであって、ユーザ情報データベース２０から読み込んだ仕切り高さを参考にして、仕切り装置１０による仕切りの高さを決めるようにしてもよい。
【００３３】
なお、仕切り装置１０によって仕切られる情報機器５１は、仕切り装置１０に囲まれた内側に設置されている。
【００３４】
次に、実施例１の動作について説明する。
【００３５】
図３は、情報機器５１の起動時の動作を、ユーザＵ１、情報機器５１の使用情報種類取得手段４０、仕切り高さ制御手段３０のそれぞれについて示すフローチャートである。
【００３６】
図４は、情報機器５１の起動時の動作を、仕切り高さ制御手段３０について示すフローチャートである。
【００３７】
図３、図４に示す情報機器５１の起動時では、情報機器５１を起動し、外部記憶媒体におけるユーザ情報データベース２０を読み込み、仕切り高さの初期値設定までを実行する。
【００３８】
図８は、実施例１において、ユーザ情報データベース２０、使用情報種類・仕切り高さ対応データベース３１，入力情報種類判別データ用メモリ４１の内容を示す図である。
【００３９】
まず、ＳＴ１から始まり、Ｓ１で、ユーザＵ１が情報機器５１を起動すると、Ｓ２で、同時に、使用情報種類取得手段４０が情報機器５１の起動を認識する。Ｓ３では、手動で仕切り装置１０の初期値を設定するかどうかを判断し、手動で仕切り装置１０の初期値を設定する場合は、Ｓ１１に進み、手動で仕切り装置１０の初期値を設定しない場合は、Ｓ４へ遷移する。
【００４０】
Ｓ４では、ユーザ情報データベース２０を使用するかどうかを判断し、ユーザ情報データベース２０を使用しない場合、Ｓ１２に進み、ユーザ情報データベース２０を使用する場合、Ｓ１３、Ｓ１４に進む。
【００４１】
Ｓ１４で、ユーザ情報データベース２０を、仕切り高さ決定用データベース３５へ読み込む。仕切り高さ決定用データベース３５には、図８（２）に示す使用情報種類・仕切り高さ対応データベース３１と、図８（１）に示す仕切り高さ切り替え有無情報２１と、ユーザ固有の使用情報種類・仕切り高さ対応データベース２２とが格納され、これら格納されている仕切り高さ切り替え有無情報２１と、ユーザ固有の使用情報種類・仕切り高さ対応データベース２２とから、仕切り高さの初期値を決定し、Ｓ１１へ遷移する。
【００４２】
Ｓ４では、手動で仕切り装置１０の初期値を設定する場合、Ｓ１１に遷移し、仕切り装置１０を手動で設定する。
【００４３】
Ｓ１２で、ユーザ情報データベース２０を用いない場合、使用情報種類・仕切り高さ対応データベース３１に基づいて、仕切り高さの初期値を決定し、Ｓ１１に遷移する。Ｓ１１で、仕切り装置１０の高さを、初期値に設定する。ここまでの、ユーザ情報データベース２０の使用の有無、手動設定であるか否かを含む初期値の設定過程を監視し、変更点を、仕切り高さ決定用データベース３５へ上書きし、ＳＴ２へ遷移する。
【００４４】
図５は、情報機器５１の起動後から終了前の動作を、情報機器５１の使用情報種類取得手段４０、仕切り高さ制御手段３０、ユーザＵ１のそれぞれについて示すフローチャートである。
【００４５】
図６は、情報機器５１の起動後から終了前の動作を、仕切り高さ制御手段３０について示すフローチャートである。
【００４６】
図５、図６に示す情報機器５１の使用中では、ユーザＵ１が扱っている情報の種類に応じて、仕切り装置１０の高さを変更する。
【００４７】
Ｓ２１では、ユーザＵ１が、キーボード入力とマウス操作とによって、情報機器５１を操作する。これと同時に、文字入力、ウィンドウ開閉、プログラムの起動、ブラウザ上でのＵＲＬ移動、カーソルの移動、画面表示サイズの変更等、情報機器５１への入力操作のログをとる。
【００４８】
その後に、Ｓ３１、Ｓ３２で、入力情報種類判別データ用メモリ４１に格納されている情報機器５１の操作ログのみを抽出する。そして、Ｓ２２で、仕切り高さを自動的に調節する仕切り高さ自動調整機能のＯＮ、ＯＦＦを切り替える。仕切り高さを自動で調節しない場合（仕切り高さ自動調整機能がＯＦＦである場合）は、Ｓ２３へ進み、自動で調節する場合（仕切り高さ自動調整機能がＯＮである場合）は、Ｓ３３へ移る。
【００４９】
Ｓ２３で、仕切り装置１０を自動調節せず、しかも、ユーザＵ１が仕切り装置１０の仕切り高さを変えたい場合、Ｓ２４で、手動調整用スイッチ１１を介して、仕切り装置１０を直接手動で操作する。Ｓ２３で、仕切り高さを変えたくないと判断すると、ＳＴ２へ戻る。
【００５０】
Ｓ２３で、自動で仕切り装置を調節する場合、Ｓ３３で、入力情報種類判別データ用メモリ４１を用い、ユーザＵ１の情報機器５１への入力のログに基づいて、使用情報種類を得る。たとえば、図８に示すソフトＡや情報Ｃを含む使用情報種類を得る。ただし、Ｓ３４で、入力情報種類判別データ用メモリ４１に、ユーザＵ１の情報機器５１へのログに対応するデータがない場合、ＳＴ２へ戻る。
【００５１】
使用情報種類を得た後に、Ｓ３４では、仕切り高さ制御手段３０は、仕切り高さ切り替え有無情報２１を用い、ユーザＵ１の情報機器５１の操作中に、使用しているソフト、情報を含む使用情報種類に基づいて、仕切り高さ切り替えの有無を判断する。仕切り高さ切り替え有無情報２１は、上記のように、所定の使用情報種類と、その使用情報の使用開始時における仕切り高さの切り替えの有無とが対応している情報である。
【００５２】
Ｓ４１では、Ｓ３５で判別した使用情報種類について、仕切り高さ切り替え有無情報２１があれば、Ｓ５１に進み、情報がなければ、Ｓ４２へ遷移する。
【００５３】
Ｓ４２では、ユーザ固有の使用情報種類・仕切り高さ対応データベース２２を用い、使用情報種類に対応する仕切り高さを決定する。ユーザ固有の使用情報種類・仕切り高さ対応データベース２２に、使用情報種類と仕切り高さとの対応データがあれば、Ｓ５２へ遷移する。ユーザ固有の使用情報種類・仕切り高さ対応データベース２２に、使用情報種類と仕切り高さとの対応データがなければ、Ｓ４３へ遷移する。
【００５４】
Ｓ４３で、仕切り高さ切り替え有無情報２１が、使用情報種類・仕切り高さ対応データベース３１にあると判断されれば、判別した使用情報種類に対応する仕切り高さに調整する。つまり、Ｓ４１、Ｓ４２で、ユーザ固有の使用情報種類・仕切り高さ対応データベース２２に、使用情報種類と仕切り高さとの対応データがあると判断されれば、Ｓ５２で、ユーザＵ１の使用情報種類から、使用情報種類と仕切り高さとの対応データを用いて、仕切り高さを決定し、Ｓ５３では、この決定された仕切り装置１０による仕切りの高さの情報を、仕切り装置１０へ送り、仕切り高さを調整する。
【００５５】
そして、Ｓ２５では、Ｓ５３で調整された仕切り高さについて、ユーザＵ１が満足しなと判断する場合、または情報機器５１の使用を継続する場合には、Ｓ２２へ戻る。Ｓ２６で、情報機器５１の使用を終了すると判断すれば、終了時の動作であるＳＴ３（図７）へ移る。
【００５６】
図７は、情報機器５１の終了時の動作を、ユーザＵ１について示すフローチャートである。
【００５７】
図７に示す終了時において、ユーザ情報データベース２０に、自分のデータが存在すれば、手動と自動との両者で、Ｓ６１で、仕切り高さ切り替え有無情報２１、使用情報種類・仕切り高さ対応データベースを保存し、Ｓ６２で、ユーザ情報データベース２０の接続を解除する。Ｓ６３で、情報機器５１の電源を切る。
【００５８】
なお、上記各ユーザのデータを記憶し、各ユーザが持つ携帯可能な個人のデータを記憶した記憶媒体（フラッシュメモリ、ＩＣカード等）、またはネットワーク上に保管され、複数人のデータまたは個人のデータを記憶した記憶媒体から、上記使用情報種類と上記仕切り領域との対応データと、上記各使用情報について使用情報の使用開始時における仕切り領域の切り替えの有無を示す仕切り領域切り替え有無情報とを、上記ユーザが情報機器でプログラム起動、終了、情報入力、閲覧を行う際に、読み取り、記憶する第１の記憶手段が設けられている。また、上記情報機器の電源を切る前に、上記仕切り領域と、上記領域切り替え有無情報とを記憶する第２の記憶手段が設けられている。
【００５９】
なお、仕切り装置１０として、液晶シャッタガラスの代わりに、電気的に透過度を変化することができる他の部材を使用してもよい。また、不透明な複数の板と、これら複数の板を上下、左右、前後にスライドさせるスライド機構と、このスライド機構を駆動するモータとを使用する機械的構成を、液晶シャッタガラスの代わりに使用するようにしてもよい。
【００６０】
実施例１において、仕切り装置１０による仕切りの高さを調整する代わりに、仕切り装置１０による仕切りの幅、奥行きを調整するようにしてもよい。つまり、仕切り装置１０によって、仕切りの高さ、幅、奥行きの上記概念である仕切り領域を変えればよい。
【００６１】
すなわち、上記説明において、「高さ」の代わりに、高さ、幅、奥行きのうちの少なくとも１つを意味する「領域」を考えてもよい。上記実施例において、「仕切り高さ」を、「仕切り領域」に変え、「使用情報種類・仕切り高さ対応データベース」を、「使用情報種類・仕切り領域対応データベース」に変えてもよい。
【００６２】
つまり、仕切り高さ制御装置１００は、ユーザによる情報機器への入力または操作のログに基づいて、上記ユーザが使用する情報の種類である使用情報種類を取得する使用情報種類取得手段と、上記使用情報種類取得手段が取得した上記使用情報種類に基づいて、上記ユーザまたは上記情報機器への視線を遮る仕切り装置における仕切り領域を決定し、上記仕切り領域を制御する仕切り領域制御手段とを有する仕切り領域制御装置の例である。
【００６３】
この場合、上記仕切り領域における制御可能な範囲は、上記ユーザまたは上記情報機器の近傍の高さ、幅、奥行きのうちの少なくとも１つの領域である。また、上記仕切り領域制御手段は、上記使用情報種類取得手段が取得した上記使用情報種類と上記仕切り領域とを対応して格納している使用情報種類・仕切り領域対応データベースを用い、上記取得した上記使用情報種類に基づいて、上記仕切り領域を決定し、制御する手段である。
【００６４】
さらに、上記実施例において、上記情報機器を起動したことを示す情報、上記情報機器の電源を切ったことを示す情報、上記ユーザが上記情報機器で使用しているプログラムの名称、上記ユーザが上記情報機器で入力した文字または記号のうちの少なくとも１つの使用状況を記憶する使用状況記憶手段を有し、上記使用情報種類取得手段は、上記使用状況記憶手段に記憶されている使用状況に基づいて、扱っている使用情報種類を得る手段である。
【００６５】
そして、上記実施例において、上記使用情報種類と仕切り領域とが対応して格納され、上記使用情報種類と仕切り領域との対応がユーザ固有の対応である第２の使用情報種類・仕切り領域対応データベースと、上記第２の使用情報種類・仕切り領域対応データベースを用い、上記使用情報種類に基づいて、上記仕切り領域を決定する第２の仕切り領域決定手段とを有する。
【００６６】
また、上記実施例において、上記仕切り装置による仕切り領域を、上記ユーザが手動で直接調整する手動調整手段と、上記手動調整手段によって手動で調節した仕切り領域を記憶するユーザ情報データベースとを有する。
【００６７】
さらに、上記使用情報種類取得手段は、ユーザによる情報機器への入力または操作のログに基づいて、上記ユーザが使用している情報またはソフトを判別することによって、上記使用情報種類を取得する手段である。
【図面の簡単な説明】
【００６８】
【図１】本発明の実施例１である仕切り高さ制御装置１００の概念を示す図である。
【図２】ユーザＵ１と、情報機器５１と、仕切り装置１０と、仕切り高さ制御装置１００とを示すブロック図である。
【図３】情報機器５１の起動時の動作を、情報機器５１の使用情報種類取得手段４０、仕切り高さ制御手段３０、ユーザＵ１のそれぞれについて示すフローチャートである。
【図４】情報機器５１の起動時の動作を、仕切り高さ制御手段３０について示すフローチャートである。
【図５】情報機器５１の起動後から終了前の動作を、情報機器５１の使用情報種類取得手段４０、仕切り高さ制御手段３０、ユーザＵ１のそれぞれについて示すフローチャートである。
【図６】情報機器５１の起動後から終了前の動作を、仕切り高さ制御手段３０について示すフローチャートである。
【図７】情報機器５１の終了時の動作を、ユーザＵ１について示すフローチャートである。
【図８】実施例１において、ユーザ情報データベース２０、入力情報種類判別データ用メモリ４１、使用情報種類・仕切り高さ対応データベース３１の内容を示す図である。
【符号の説明】
【００６９】
１００…仕切り高さ制御装置、
１０…仕切り装置、
１１…手動調整用スイッチ、
２０…ユーザ情報データベース、
２１…仕切り高さ切り替え有無情報、
２２…ユーザ固有の使用情報種類・仕切り高さ対応データベース、
３０…仕切り高さ制御手段、
３１…使用情報種類・仕切り高さ対応データベース、
３２…状態監視手段、
３３…仕切り高さ決定手段、
３４…仕切り装置制御部、
３５…仕切り高さ決定用データベース、
４０…使用情報種類取得手段、
４１…入力情報種類判別データ用メモリ、
４２…入力、操作ログ用メモリ、
４３…使用情報種類取得部、
Ｕ１…ユーザ、
５１…情報機器。
【図１】
2007186917.tif 000003
【図２】
2007186917.tif 000004
【図３】
2007186917.tif 000005
【図４】
2007186917.tif 000006
【図５】
2007186917.tif 000007
【図６】
2007186917.tif 000008
【図７】
2007186917.tif 000009
【図８】
2007186917.tif 000010